(57)【要約】      （修正有）【課題】組立てをやり直さなくても簡便に太陽光パネルの傾斜角を変更できる太陽光パネル用架台を提供する。【解決手段】太陽光パネルは、屋根のみならず、不整地にも設置されている。不整地では、地中にねじ込み又は打ち込んだ支持杭４の上端に複数の支柱３で支持した架台に設置されている。本考案は、太陽光パネル２０を設置する複数のパネル受材１８を固設した複数の渡し材１，２を、それぞれ複数の支柱３で支持するもので、支柱は、上端を渡し材１，２に固設するとともに、下端を立板状のガセット７に複数固設し、支持杭４の上端に固設された杭頭部材に立設した連結材６に、ガセットの下部をピン連結している。そして、ガセット７は支持杭４に対して前後および左右に移動させて取付けることができる。【選択図】図１
0003213752.tif 000002
【実用新案登録請求の範囲】
【請求項１】
太陽光パネルを固定するための複数のパネル受材を固設した複数の渡し材を、地中にね
じ込まれ又は打ち込まれた支持杭の上端に支柱で支持した太陽光パネル用架台において、該支柱は、上端を該渡し材に固設するとともに下端を立板状のガセットに固設し、該支持杭の上端に固設された杭頭部材に連結材を立設し、該ガセットの下部を該連結材にピン連結し、該渡し材を長手方向に回動可能に取り付けたことを特徴とする太陽光パネル用架台。
【請求項２】
前記連結材は、Ｌ字状の形鋼であり、下面を前後左右方向へ水平移動可能に前記杭頭部
材に取り付けたことを特徴とする請求項１記載の太陽光パネル用架台。
【請求項３】
前記連結材は、前記杭頭部材に前後方向へ移動可能に取り付けられ、前記ガセットとは、左右方向へ移動可能に取り付けられたことを特徴とする請求項１記載の太陽光パネル用
架台。
【考案の詳細な説明】
【技術分野】
【０００１】
本考案は、太陽光パネルを不整地に設置するのに適した架台に関する。
【背景技術】
【０００２】
太陽光パネルは、従来から屋根上に設置されているが、近年では、平地のみならず、遊休地や畑などの不整地にも設置されている。
不整地に太陽光パネルを設置するための架台は、コンクリート製の土台を設置していては工期期間がかかり費用も嵩むので、不整地に直接鋼管杭やスクリュー杭などの支持杭を
所定の位置にねじ込み又は打ち込んで、太陽光パネルを取り付ける２本の渡し材を支持杭
の上端に複数の支柱で支持するようにしたものが開発されている（例えば、特許文献１）。なお、本明細書では、渡し材の長手方向を左右、これと直角方向を前後と称するもの
とする。
【先行技術文献】
【特許文献】
【０００３】
【特許文献１】特開２０１５−６８０２８号公報
【考案の開示】
【考案が解決しようとする課題】
【０００４】
特許文献１に示す太陽光パネル用架台は、不整地に鋼管杭を施工機でねじ込んで、支柱、渡し材、パネル受材を順次組立てるもので、設置面にコンクリートを打設する基礎工事
が不要で、短時間に架台を組立てることができる。
しかも、架台の各部材は、予め設計通りの寸法に切断され、組立てのためのボルト締結
用の穴が加工されて搬入され、現地では、スパナだけで組立てできるようにしている。
【０００５】
しかしながら、不整地においては、鋼管杭の打ち込み位置に、２０〜３０ｍｍの誤差が
あるので、各部材の長さや取り付け位置を修正する必要が生じる。
また、複数の架台を不整地に並べて設置する場合、例えば、図５に示すように、太陽光パネルの一部分が日陰になる場合がある。このような場合は、幾つかの架台のパネル面の傾斜を変えることが必要となり、組立てをやり直さなければならない、といった問題がある。
【０００６】
そこで、本考案は、組立てをやり直さなくても簡便に太陽光パネルの傾斜角を変更でき
る太陽光パネル用架台を提供することを目的としている。
【課題を解決するための手段】
【０００７】
本考案の太陽光パネル用架台は、上記の目的を達成するため、次のように構成した。す
なわち、太陽光パネルを固定するための複数のパネル受材を固設した複数の渡し材を、地中にねじ込まれ又は打ち込まれた支持杭の上端に支柱で支持した太陽光パネル用架台において、該支柱は、上端を該渡し材に固設するとともに下端を立板状のガセットに固設し、該支持杭の上端に固設された杭頭部材に連結材を立設し、該ガセットの下部を該連結材にピン連結し、該渡し材を長手方向に回動可能に取り付けたことを特徴としている。
【０００８】
パネル受材を取り付ける複数の渡し材は、通常は２本で、太陽光パネルに傾斜を持たせ
るため高さを変えて設置する。支持杭は渡し材１本につき、少なくとも２本必要である。
支持杭は、不整地に設置できるものであれば、ねじ込み杭でも打ち込み杭でもよい。外周
にスパイラル状に羽根が形成されたスクリュー杭や、角鋼管杭が一般的である。
渡し材を支持する支柱は、通常は、支持杭１本に２本とし、下側が互いに寄るように傾斜させて、上端を該渡し材に下端を立板状のガセットに取り付ける。しかし、場所によっては、一部の支持杭の支柱が１本であったり、ガセット７を直接渡し材へ取り付けるものがあっても、本権利の技術範囲に含まれるものとする。なお、ガセットは、左右方向（渡し材の長手方向）が平面になるように取り付ける。
一方、支持杭の上端に杭頭部材を固設し、連結材を立設する。そして、ガセットを連結
材にピンボルトで連結する。ピンボルトを緩めることにより、ガセットを回動させること
ができ、締め込むことにより、締結され回動させることはできない。
【０００９】
支持杭の位置は、ある程度ズレるのは避けられない（所定の寸法の許容範囲になるよう
に管理する必要はある。）ので、連結材は、杭頭部材に前後、左右に移動させて連結でき
るようにするとよい。この手段については、特に限定しないが、請求項２に記載のように
、連結材は、Ｌ字状の形鋼で、下面は前後左右に水平移動可能に杭頭部材に取り付けるか
、請求項３に記載のように、連結材は、杭頭部材に前後方向へ移動可能に連結され、ガセ
ットとは、左右方向へ移動可能に連結されるように構成するのが望ましい。
なお、支柱は、架台の高さや積雪時の重量、さらには風圧などを加味して適宜補強材を
使用する。また、必要により、渡し材１と渡し材２の支柱同士を連結する補強材を設ける
。
【考案の効果】
【００１０】
本考案の太陽光パネル用架台は、渡し材を支持する支柱を、上端を該渡し材に固設する
とともに下端を立板状のガセットに複数固設し、支持杭の上端に固設された杭頭部材に立
設した連結材に、ガセットの下部をピン連結したので、支柱が固設された状態のままで、
渡し材を左右方向に回動させることができ、簡便にパネル面の傾斜を変えることができる
。このため、組立てのやり直しが殆どなくなった。
【００１１】
また、請求項２に記載のように、連結材を下面は前後左右に水平移動可能に杭頭部材に
取り付けるか、請求項３に記載のように、連結材は、杭頭部材に前後方向へ移動可能に連
結され、ガセットとは、左右方向へ移動可能に連結すれば、支持杭の位置が許容範囲であ
れば、部材の切断や取り付け用の穴の加工を必要とせずに組立てができる。
【図面の簡単な説明】
【００１２】
【図１】本考案の太陽光パネル用架台の実施の形態を示す模式的説明図である。
【図２】同、図１のＡ部拡大図で、（ａ）は正面斜視図、（ｂ）は背面斜視図である。
【図３】同、太陽光パネル用架台の別の実施の形態を示す模式的説明図である。
【図４】同、図１のＢ部拡大図で、（ａ）は正面斜視図、（ｂ）は背面斜視図である。
【図５】従来の太陽光パネル用架台を示す模式的説明図。
【図６】本考案の太陽光パネル用架台の実施の状態を示す模式的説明図である。
【考案を実施するための形態】
【００１３】
本考案の太陽光パネル用架台の実施の形態を、図１および図２に基づいて説明する。
図１は、本考案の太陽光パネル用架台の全体を示す説明図で、図２は図１のＡ部詳細図
である。
【００１４】
太陽光パネル２０を取り付けるパネル受材１８が２本の渡し材１，２に直角方向に複数
個取り付けられ、渡し材１，２は、それぞれ基礎杭４に複数の支柱３で支持されている。
ここでは、渡し材１，２は溝形鋼で、支柱３は山形鋼、パネル受材１８はＺ形鋼を使用
している。また、各部材の組立ては、ボルトとナットの締結によっている。そして、基礎
杭４はスクリュー杭を使用している。
【００１５】
渡し材１は２本の基礎杭４にそれぞれ斜めに配置した２本の支柱３と垂直な補強材１２
で支持されている。支柱３と補強材１２の上端は渡し材１に間隔を開けて取り付けられ、
下端は、ガセット７に取り付けられている。
基礎杭４の上端にはフランジ状の杭頭部材５が固設されており、これに、Ｌ字状の連結
材６の平面部がボルト９で取り付けられ、立面部に該ガセット７がピンボルト８で連結さ
れている。
【００１６】
杭頭部材５には円弧状の長穴５ａが４個設けられ、連結材６には左右方向に長穴６ａが設けられている。これにより、連結材６は、支持杭４が所定の位置からズレていても、杭頭部材５に対して前後（渡し材１の長手方向に直角方向）および左右（渡し材１の長手方向）に移動させて取り付けることができる。
そして、ガセット７はピンボルト８を緩めることにより、連結材６に対して回動させる
ことができ、締め込むことによって固定される。
なお、高さの調整は、杭頭部材５と連結材６の間にライナーを介在させることによって行
っている。
【００１７】
次に、この太陽光パネル用架台の設置作業について説明する。
まず、太陽光パネル設置の図面に基づいて、所定の位置に基礎杭４を専用機で所定の高
さにねじ込んでおく。そして、架台を設置する前に、基礎杭４が所定の位置または許容誤
差内であるか確認するとともに高さレベルの測定を行う。
【００１８】
次に、渡し材１，２、支柱３、連結材６、ガセット７、補強材１２を所定の寸法および
取り付け用のボルト穴などを工場で加工したものを搬入する。
太陽光パネル用架台の組立ては、渡し材１，２を支持する４本の基礎杭４の上端の杭頭
部材５に連結材６をそれぞれ取り付ける。このとき、支持杭４の位置のズレを考慮して長
穴５ａ、６ａを利用して所定の位置になるようにボルト９を中心から移動させて取り付け
る。続いて、ガセット７をピンボルト８で取り付ける。
【００１９】
次に、渡し材１側のガセット７に、支柱３を２本斜めにボルト１１で取り付け、中央に
補強材１２を取り付ける。そして、渡し材１を設置する位置に水平に持ち上げて、支柱３
の上端側をボルト、ナットで固設する。
続いて、渡し材２側のガセット７に支柱３を斜めに２本ボルト１１で取り付け、中央に
補強材１２を取り付け、支柱３の上端側を水平に持ち上げた渡し材２に取り付ける。
【００２０】
渡し材１，２の傾斜角度が適正になるように、ピンボルト８を緩めて、回動させて調整
する。これが済んだら、渡し材１，２に直角方向にパネル受材１８を取り付け、太陽光パ
ネル２０を取り付ければ、作業は終了する。なお、図には記載していないが、渡し材１の
支柱３と渡し材２の支柱３を連結する補強材を設けている場合は、渡し材１，２が取り付
けられ、角度調整が終わった後に取り付ける。
【００２１】
また、渡し材１，２に取り付けられる太陽光パネル２０の傾斜角度が、例えば、図５の
ように、隣の架台の影になる位置である場合には、複数の架台の全体を見て適正な角度、
例えば図６の状態に変える。この場合、ガセット７を連結しているピンボルト８を緩めれ
ば、ピンボルト８を中心にして回動させることができるので、簡便に太陽光パネルの傾斜
角度を変えることができる。
【００２２】
次に、太陽光パネル用架台の別の実施の形態を図３および図４に基づいて説明する。
なお、上記の実施の形態における同じ部材は同じ符号を付している。
この実施の形態は、基本的には上記の実施の形態と同じである。相違点は、支柱３の補
強材１２を別のものとしたことと、支持杭にガセット７を調整可能に取り付ける手段を変
えたことである。
【００２３】
図３は、太陽光パネル用架台の全体を示す説明図で、図４は図３のＢ部詳細図である。
太陽光パネル２０を取り付けるパネル受材１８が２本の渡し材１，２に直角方向に複数個
取り付けられ、渡し材１，２はそれぞれ複数の支柱３によって基礎杭４に取り付けられ、
渡し材１側は支柱３同士を補強材１３で連結し、渡し材２側は、これに加えて、補強材１
３の両端から渡し材２へ補強材１４が連結されている。
【００２４】
基礎杭４の上端の杭頭部材１５は、中央に雌ねじが設けられており、これに前後方向に
長穴１６ｂが設けられたＬ字状の連結材１６がボルト１７で締結されている。
そして、これにガセット７がピンボルト８で連結されている。ピンボルト８が取り付く
連結材１６には水平に長穴１６ａが設けられている。
【００２５】
このように構成されているので、連結材１６は、杭頭部材１５に対して前後（渡し材１
の長手方向に直角方向）に移動可能であり、ガセット７は連結材１６に対して左右（渡し
材１の長手方向）に移動可能である。
そして、ガセット７は、ピンボルト８を緩めることにより、連結材６に対して回動（渡
し材１の長手方向）可能であり、締め込むことによって固定される。
なお、高さの調整は、杭頭部材５と連結材６の間にライナーを介在させることによって
行う。
この太陽光パネル用架台の設置作業は、上記の実施の形態と同じであるので説明は省略
する。
【符号の説明】
【００２６】
１  渡し材
２  渡し材
３  支柱
４  支持杭
５  杭頭部材
５ａ  長穴
６  連結材
６ａ  長穴
７  ガセット
８  ピンボルト
９  ボルト
１１  ボルト
１２  補強材
１３  補強材
１４  補強材
１５  杭頭部材
１６  連結材
１６ａ  長穴
１６ｂ  長穴
１７  ボルト
１８  パネル受材
２０  太陽光パネル
【図１】
0003213752.tif 000003
【図２】
0003213752.tif 000004
【図３】
0003213752.tif 000005
【図４】
0003213752.tif 000006
【図５】
0003213752.tif 000007
【図６】
0003213752.tif 000008